(57)【要約】【課題】可視光の中で波長が比較的近い２つの可視光を選択的に遮光するための技術を提供する。【解決手段】照明装置は、２色LED１６（第１光源、第２光源）と、模様シート１８（遮光層）と、点灯制御部５５（点灯制御手段）とを備えている。２色LED１６は、赤色光と緑色光を出射する。模様シート１８は、遮光部２０と、赤色系カラーフィルタ２１と、青色系カラーフィルタ２２とを有する。遮光部２０は、赤色光と緑色光を遮光する。赤色系カラーフィルタ２１は、赤色光を透過させるためのものである。青色系カラーフィルタ２２は、緑色光を透過させるためのものである。点灯制御部５５は、２色LED１６に赤色光又は緑色光を選択的に出射させるためのものである。そして、青色系カラーフィルタ２２の分光透過率２２ａの重心波長は、緑色光のピーク波長を挟んで赤色光のピーク波長と反対側となるように設定されている。【選択図】図４
2012137700.tif 000002
【特許請求の範囲】
【請求項１】
ドミナント波長が第１波長である第１可視光を出射する第１光源と、
ドミナント波長が前記第１波長と異なる第２波長である第２可視光を出射する第２光源と、
前記第１可視光及び前記第２可視光を遮光する遮光部と、前記第１可視光を透過させるための第１透過部と、前記第２可視光を透過させるための第２透過部とを有する遮光層と、
前記第１光源と前記第２光源を選択的に点灯させる点灯制御手段と、
を備え、
前記第２透過部の分光透過率の重心波長は、前記第２可視光のピーク波長を挟んで前記第１可視光のピーク波長と反対側となるように設定される、
照明装置。
【請求項２】
請求項１に記載の照明装置であって、
前記第１透過部の分光透過率の重心波長は、前記第１可視光のピーク波長を挟んで前記第２可視光のピーク波長と反対側となるように設定される、
照明装置。
【請求項３】
請求項１又は２に記載の照明装置であって、
前記第１可視光の分光分布と、前記第２可視光の分光分布は、一部重複している、
照明装置。
【請求項４】
ドミナント波長が第１波長である第１可視光を出射する第１光源と、
ドミナント波長が前記第１波長と異なる第２波長である第２可視光を出射する第２光源と、
前記第１可視光及び前記第２可視光を遮光する遮光部と、前記第１可視光を透過させるための第１透過部と、前記第２可視光を透過させるための第２透過部とを有する遮光層と、
前記第１光源と前記第２光源を選択的に点灯させる点灯制御手段と、
を備え、
前記第１可視光の分光分布と、前記第２可視光の分光分布は、一部重複しており、
前記第２透過部の透過波長域は、前記第１可視光の分光波長域に対して重複しないように設定される、
照明装置。
【請求項５】
請求項４に記載の照明装置であって、
前記第１透過部の透過波長域は、前記第２可視光の分光波長域に対して重複しないように設定される、
照明装置。
【請求項６】
請求項１〜５の何れかに記載の照明装置であって、
前記遮光層は、スモークフィルタで覆われている、
照明装置。
【請求項７】
請求項１〜６の何れかに記載の照明装置であって、
前記遮光層は、シート状に形成されている、
照明装置。
【請求項８】
請求項１〜７の何れかに記載の照明装置であって、
前記第１波長は、６００〜７５０ｎｍの赤色帯域内である、
照明装置。
【請求項９】
請求項８に記載の照明装置であって、
前記第２波長は、５００〜５７５ｎｍの緑色帯域内である、
照明装置。
【請求項１０】
請求項９に記載の照明装置であって、
前記第２透過部の分光透過率の重心波長は、４５０〜５１０ｎｍの青色帯域内である、
照明装置。
【発明の詳細な説明】
【技術分野】
【０００１】
本発明は、照明装置に関する。
【背景技術】
【０００２】
この種の技術として、特許文献１は、AV機能付きのナビゲーション装置の操作表示部を開示している。操作表示部は、透過窓を有する遮光パネルと、ロングパスフィルタ及びショートパスフィルタと、赤色発光ダイオード及び青色発光ダイオードとを備えている。
【０００３】
透過窓は、「AV」と「NAVI」という文字を象っている。透過窓の「AV」の部分にはショートパスフィルタが重畳されており、「NAVI」の部分にはロングパスフィルタが重畳されている。
【０００４】
この構成で、赤色発光ダイオードが赤色光（例えば、波長７００ｎｍ）を出射すると、赤色光は、ショートパスフィルタ（波長が５００ｎｍ以上の可視光を遮光する。）によっては遮光されるが、ロングパスフィルタ（波長が５００ｎｍ未満の可視光を遮光する。）は透過する。この結果、透過窓の「NAVI」の部分が明るくなる。一方、青色発光ダイオードが青色光（例えば、波長４３５．８ｎｍ）を出射すると、ロングパスフィルタによっては遮光されるが、ショートパスフィルタは透過する。この結果、透過窓の「AV」の部分が明るくなる。
【先行技術文献】
【特許文献】
【０００５】
【特許文献１】特開２０１０−２１７７１６号公報
【発明の概要】
【発明が解決しようとする課題】
【０００６】
しかしながら、上記特許文献１の構成では、可視光の中で波長が比較的近い２つの可視光を遮光フィルタで選択的に遮光することは難しい。
【０００７】
本願発明の目的は、可視光の中で波長が比較的近い２つの可視光を選択的に遮光するための技術を提供することにある。
【課題を解決するための手段】
【０００８】
本願発明の観点によれば、照明装置は、ドミナント波長が第１波長である第１可視光を出射する第１光源と、ドミナント波長が前記第１波長と異なる第２波長である第２可視光を出射する第２光源と、前記第１可視光及び前記第２可視光を遮光する遮光部と、前記第１可視光を透過させるための第１透過部と、前記第２可視光を透過させるための第２透過部とを有する遮光層と、前記第１光源と前記第２光源を選択的に点灯させる点灯制御手段と、を備える。前記第２透過部の分光透過率の重心波長は、前記第２可視光のピーク波長を挟んで前記第１可視光のピーク波長と反対側となるように設定される。
好ましくは、前記第１透過部の分光透過率の重心波長は、前記第１可視光のピーク波長を挟んで前記第２可視光のピーク波長と反対側となるように設定される。
好ましくは、前記第１可視光の分光分布と、前記第２可視光の分光分布は、一部重複している。
本願発明の他の観点によれば、照明装置は、ドミナント波長が第１波長である第１可視光を出射する第１光源と、ドミナント波長が前記第１波長と異なる第２波長である第２可視光を出射する第２光源と、前記第１可視光及び前記第２可視光を遮光する遮光部と、前記第１可視光を透過させるための第１透過部と、前記第２可視光を透過させるための第２透過部とを有する遮光層と、前記第１光源と前記第２光源を選択的に点灯させる点灯制御手段と、を備える。前記第１可視光の分光分布と、前記第２可視光の分光分布は、一部重複している。前記第２透過部の透過波長域は、前記第１可視光の分光波長域に対して重複しないように設定される。
好ましくは、前記第１透過部の透過波長域は、前記第２可視光の分光波長域に対して重複しないように設定される。
好ましくは、前記遮光層は、スモークフィルタで覆われている。
好ましくは、前記遮光層は、シート状に形成されている。
好ましくは、前記第１波長は、６００〜７５０ｎｍの赤色帯域内である。
好ましくは、前記第２波長は、５００〜５７５ｎｍの緑色帯域内である。
好ましくは、前記第２透過部の分光透過率の重心波長は、４５０〜５１０ｎｍの青色帯域内である。
【発明の効果】
【０００９】
本願発明によれば、前記第１光源から出射される前記第１可視光のうち波長が前記第２可視光のピーク波長に近い成分が、前記第２透過部を透過してしまうのを抑制することができる。従って、可視光の中で波長（ドミナント波長）が比較的近い２つの可視光であっても選択的に遮光できるようになる。
【図面の簡単な説明】
【００１０】
【図１】図１は、車載用AV機器のユーザーインターフェースの分解斜視図である。
【図２】図２は、通話ボタンの分解斜視図である。
【図３】図３は、遮光シートの正面図である。
【図４】図４は、各LEDの発光特性と各カラーフィルターの透過特性を示すグラフであって、緑色光出射時をイメージしたものである。
【図５】図５は、各LEDの発光特性と各カラーフィルターの透過特性を示すグラフであって、赤色光出射時をイメージしたものである。
【図６】図６は、ユーザーインターフェースの制御部のブロック図である。
【図７】図７は、ユーザーインターフェースの制御部の制御フローである。
【図８】図８は、各LEDの発光特性と各カラーフィルターの透過特性を示すグラフであって、赤色光出射時をイメージしたものである（比較例）。
【発明を実施するための形態】
【００１１】
以下、図１〜図６を参照して、車載用AV機器のユーザーインターフェース１の構成を説明する。
【００１２】
（ユーザーインターフェース１）
図１に示すようにユーザーインターフェース１は、車室側から順に、パネル部２、カバー３、液晶パネル４、拡散シート５、導光板６、ホルダー７、配線基板８、裏蓋９によって構成されている。ユーザーインターフェース１は、更に、図６に示す制御部５０を備えている。
【００１３】
パネル部２は、車室側に露出する部分である。パネル部２は、液晶表示用窓１０や、図２に示す通話ボタン１１のキートップ１２（スモークフィルタ）、音量調整用ツマミ１３等を備えている。
【００１４】
カバー３は、ホルダー７に収容された液晶パネル４や拡散シート５、導光板６をホルダー７に対して固定する。
【００１５】
液晶パネル４は、透過型液晶パネルである。
【００１６】
拡散シート５は、光を散乱又は拡散させる半透明なシートである。
【００１７】
導光板６は、透明のプラスチック等の樹脂やガラスなどの透光材料からなり、略四角形板状に形成されている。
【００１８】
ホルダー７は、液晶パネル４と拡散シート５と導光板６を収容する。
【００１９】
配線基板８には、図１及び図２に示すように、液晶パネル４の光源である複数のLED１４や音量調整用ボリューム１５、通話ボタン１１の光源である２色LED１６（第１光源、第２光源）及びモーメンタリスイッチ１７（自動復帰型スイッチ）が設けられている。
【００２０】
ホルダー７は、配線基板８に対して両面テープで固定される。液晶パネル４と拡散シート５と導光板６は、ホルダー７に収容される。カバー３は、ホルダー７に対してフックで固定される。そして、パネル部２は、配線基板８等を挟みつつ裏蓋９に対してネジで固定される。
【００２１】
（通話ボタン１１）
図２に示すように通話ボタン１１は、キートップ１２、模様シート１８（遮光層、遮光シート）、シートホルダ１９、２色LED１６、モーメンタリスイッチ１７によって構成されている。
【００２２】
キートップ１２は、配線基板８に対して直交する方向に進退自在となるように図１のパネル部２に支持されている。キートップ１２は、可視光透過率が低い黒色系の透明樹脂によって構成されている。キートップ１２の可視光透過率は、例えば４０〜６０％に設定される。
【００２３】
模様シート１８は、着色された樹脂シートであって、キートップ１２によって覆われている。詳しくは、模様シート１８は、キートップ１２とシートホルダ１９の間に配置されている。図３に示すように、模様シート１８には、遮光部２０と、赤色系カラーフィルタ２１（第１透過部）と、青色系カラーフィルタ２２（第２透過部）とが形成されている。
【００２４】
遮光部２０は、可視光を完全に遮光する部分である。遮光部２０は、模様シート１８の樹脂シートに黒色系のインクを塗布することによって形成されている。
【００２５】
赤色系カラーフィルタ２１は、オンフック状態の受話器をイメージしたフィルタであって、模様シート１８の樹脂シートに赤色系のインクを塗布することによって形成されている。赤色系カラーフィルタ２１の透過特性を図４において符号２１ａの実線で示している。本実施形態において赤色系カラーフィルタ２１の分光透過率２１ａの重心波長は、６００〜７５０ｎｍの赤色帯域内であり、具体的には６６０ｎｍである。また、本実施形態において赤色系カラーフィルタ２１の分光透過率２１ａは、図４に示すように波長に関して左右対称であるから、赤色系カラーフィルタ２１の分光透過率２１ａのピーク波長は、その重心波長に一致している。
【００２６】
青色系カラーフィルタ２２は、オフフック状態の受話器をイメージしたフィルターであって、模様シート１８の樹脂シートに青色系のインクを塗布することによって形成されている。青色系カラーフィルタ２２の透過特性を図４において符号２２ａの実線で示している。本実施形態において青色系カラーフィルタ２２の分光透過率２２ａの重心波長は、４５０〜５１０ｎｍの青色帯域内であり、具体的には４８０ｎｍである。また、本実施形態において青色系カラーフィルタ２２の分光透過率２２ａは、図４に示すように波長に関して左右対称であるから、青色系カラーフィルタ２２の分光透過率２２ａのピーク波長は、その重心波長に一致している。
【００２７】
シートホルダ１９は、図２に示すように略筒体であって、模様シート１８をキートップ１２の背面に押し付けて保持するものである。シートホルダ１９は、キートップ１２の背面に取り付けられる。
【００２８】
２色LED１６は、赤色光（第１可視光）と緑色光（第２可視光）を選択的に出射可能な２色タイプのLEDであって、図６に示す制御部５０に接続されている。本実施形態における２色LED１６の発光特性を図４に示している。図４において、２色LED１６が出射した赤色光の発光特性は、符号１６ａの二点鎖線で示している。一方、２色LED１６が出射した緑色光の発光特性は、符号１６ｂの二点鎖線で示している。
【００２９】
本実施形態において、２色LED１６が出射する赤色光のドミナント波長は、６００〜７５０ｎｍの赤色帯域内であり、具体的には６４０ｎｍ（第１波長）である。２色LED１６が出射する赤色光のピーク波長は６４０ｎｍである。同様に、本実施形態において、２色LED１６が出射する緑色光のドミナント波長は、５００〜５７５ｎｍの緑色帯域内であり、具体的には５２０ｎｍ（第２波長）である。２色LED１６が出射する緑色光のピーク波長は５２０ｎｍである。そして、本実施形態において、２色LED１６が出射する赤色光の分光分布と、２色LED１６が出射する緑色光の分光分布は、図４に示すように波長に関して一部重複している。
【００３０】
モーメンタリスイッチ１７は、キートップ１２の進退動作に応じて操作されるモーメンタリ型のスイッチであって、図６に示す制御部５０に接続されている。
【００３１】
（制御部５０）
図６に示すように、制御部５０は、CPU５１（Central Processing Unit）、RAM５２（Random Access Memory）、ROM５３（Read Only Memory）とを備えている。CPU５１は、中央演算器である。RAM５２は、読み書き自由の記憶手段である。ROM５３は、読み込み専用の記憶手段である。ROM５３には、制御プログラムが記憶されている。この制御プログラムは、CPU５１によって読み込まれ、CPU５１上で実行されることで、CPU５１等のハードウェアを、通話制御部５４、点灯制御部５５（点灯制御手段）として機能させる。また、制御部５０には、運転者が所持する携帯電話機５６が予め接続されている。
【００３２】
通話制御部５４は、携帯電話機５６への着呼や、携帯電話機５６からの発呼等を制御する。
【００３３】
点灯制御部５５は、２色LED１６に赤色光又は緑色光を選択的に出射させる。
【００３４】
本実施形態において、照明装置は、２色LED１６（第１光源、第２光源）と、模様シート１８（遮光層）、点灯制御部５５（点灯制御手段）を少なくとも備えて構成されている。
【００３５】
（作動）
次に、図７を参照しつつ、ユーザーインターフェース１の作動を説明する。
【００３６】
先ず、運転者がイグニッションキーをACC（Accessories）の位置まで回すと（S300）、点灯制御部５５は２色LED１６に緑色光を出射させる（S301）。すると、図４においてハッチングで示すように、緑色光の分光分布１６ｂのうち、波長に関して青色系カラーフィルタ２２の分光透過率２２ａと重複する成分が青色系カラーフィルタ２２を通過する。従って、このとき、黒色系で半透明のキートップ１２には、オフフック状態をイメージした受話器の模様が若干青みがかった緑色で照らし出される。一方で、緑色光の分光分布１６ｂのうち、波長に関して赤色系カラーフィルタ２１の分光透過率２１ａと重複する成分が赤色系カラーフィルタ２１を通過する。しかしながら、その重複する成分は僅かであり、運転者は、黒色系で半透明のキートップ１２を介してオンフック状態をイメージした受話器の模様を視認することはできない。
【００３７】
話を戻すと、携帯電話機５６への着呼もなく（S302:NO）、携帯電話機５６からの発呼もない（S303:NO）場合は、点灯制御部５５は２色LED１６に緑色光を出射させ続ける（S301）。
【００３８】
（着信時）
携帯電話機５６への着信があったら（S302:YES）、点灯制御部５５は、２色LED１６に緑色光を断続的に出射させる（S304）。すると、通話ボタン１１のキートップ１２には、オフフック状態をイメージした受話器の模様が断続的に照らし出される。そして、通話制御部５４は、運転者によって通話ボタン１１が押されるのを待機する（S305:NO）。運転者が通話ボタン１１を押したら（S305:YES）、点灯制御部５５は２色LED１６に赤色光を出射させる（S306）。そして、運転者は図示しないマイクロフォンやスピーカを介して通話を開始する（S307）。なお、このとき、図５においてハッチングで示すように、赤色光の分光分布１６ａのうち、波長に関して赤色系カラーフィルタ２１の分光透過率２１ａと重複する成分が赤色系カラーフィルタ２１を通過する。従って、このとき、黒色系で半透明のキートップ１２には、オンフック状態をイメージした受話器の模様が赤色で照らし出される。一方で、赤色光の分光分布１６ａのうち、波長に関して青色系カラーフィルタ２２の分光透過率２２ａと重複する成分が青色系カラーフィルタ２２を通過する。しかしながら、その重複する成分は極めて僅かであり、運転者は、黒色系で半透明のキートップ１２を介してオフフック状態をイメージした受話器の模様を視認することはできない。
【００３９】
話を戻すと、通話制御部５４は、運転者の通話中、運転者によって通話ボタン１１が押されるのを待機する（S308:NO）。そして、通話終了に伴い運転者が通話ボタン１１を押したら（S308:YES）、点灯制御部５５は、再び、２色LED１６に緑色光を出射させる（S301）。これにより、黒色系で半透明のキートップ１２には、オフフック状態をイメージした受話器の模様が再び、若干青みがかった緑色で照らし出される。
【００４０】
（発呼時）
携帯電話機５６への着信がなくても（S302:NO）、運転者が通話ボタン１１を押したら（S303:YES）、点灯制御部５５は、２色LED１６に赤色光を出射させる（S309）。これにより、黒色系で半透明のキートップ１２には、オンフック状態をイメージした受話器の模様が赤色で照らし出される。そして、運転者は通話を開始する（S310）。通話制御部５４は、運転者の通話中、運転者によって通話ボタン１１が押されるのを待機する（S311:NO）。
【００４１】
通話終了に伴い運転者が通話ボタン１１を押したら（S311:YES）、点灯制御部５５は、再び、２色LED１６に緑色光を出射させる（S301）。これにより、黒色系で半透明のキートップ１２には、オフフック状態をイメージした受話器の模様が再び、若干青みがかった緑色で照らし出される。
【００４２】
以上に本願発明の好適な実施形態を説明したが、上記実施形態の技術的意義を以下に詳しく説明する。
【００４３】
（技術背景）
カラーフィルターの分野における技術常識としては、ドミナント波長が異なる２つの可視光を選択的に出射したときに異なるイメージを演出しようとする場合、特許文献１の段落番号００３３で指摘されているように、２つの可視光のドミナント波長を極力離すようにしている。例えば特許文献１では、赤色発光ダイオードと青色発光ダイオードが採用されており、これらが出射する可視光を所定の波長（５００ｎｍ）で線引きするロングパスフィルタとショートパスフィルタが用いられている。
【００４４】
（課題）
しかしながら、上記実施形態のように可視光の中でドミナント波長が比較的近い２つの可視光を使用することとした場合、これらの可視光をある波長で線引きすることは難しい。なぜなら、安価に入手可能なLED光源は、レーザ発振器と異なり、特定の波長のみで構成される可視光を出射することができず、どうしても２つの可視光の分光分布が波長に関し重複してしまうからである。従って、例えば図８に示すように赤色光を透過させる赤色系カラーフィルタと、緑色光を透過させる緑色系カラーフィルタを用意した場合、以下のような問題が生じる。即ち、赤色光を出射した際、本来であれば、赤色光は緑色系カラーフィルターによって遮光されるべきであるものの、赤色光のうち図８においてハッチングで示す成分が緑色系カラーフィルターを透過してしまう。そしてこの結果、図３に示す模様シート１８について言えば、オンフック状態の受話器の模様（赤色系カラーフィルタ２１）のみを照らし出そうとしても、意に反して、オフフック状態の受話器の模様（青色系カラーフィルタ２２）も照らし出されてしまう。同様に、オフフック状態の受話器の模様（青色系カラーフィルタ２２）のみを照らし出そうとしても、意に反して、オンフック状態の受話器の模様（赤色系カラーフィルタ２１）も照らし出されてしまう。このように、可視光の中でドミナント波長が比較的近い２つの可視光を遮光フィルタで選択的に遮光することは従来、非常に難しかった。
【００４５】
（上記実施形態の構成）
これに対し、照明装置は、２色LED１６（第１光源、第２光源）と、模様シート１８（遮光層）と、点灯制御部５５（点灯制御手段）とを備えている。２色LED１６は、赤色光と緑色光を出射する。模様シート１８は、遮光部２０と、赤色系カラーフィルタ２１と、青色系カラーフィルタ２２とを有する。遮光部２０は、赤色光と緑色光を遮光する。赤色系カラーフィルタ２１は、赤色光を透過させるためのものである。青色系カラーフィルタ２２は、緑色光を透過させるためのものである。点灯制御部５５は、２色LED１６に赤色光又は緑色光を選択的に出射させるためのものである。そして、図４及び図５に示すように、青色系カラーフィルタ２２の分光透過率２２ａの重心波長は、緑色光のピーク波長を挟んで赤色光のピーク波長と反対側（即ち、緑色光のピーク波長よりも短波長側）となるように設定されている。
【００４６】
以上の構成によれば、図５に示すように、赤色光のうち波長が緑色光のピーク波長に近い成分が、青色系カラーフィルタ２２を透過してしまうのを抑制することができる。従って、可視光の中で波長（ドミナント波長）が比較的近い２つの可視光（赤色光、緑色光）であっても選択的に遮光できるようになる。
【００４７】
また、図４及び図５に示すように、赤色系カラーフィルタ２１の分光透過率２１ａの重心波長は、赤色光のピーク波長を挟んで緑色光のピーク波長と反対側（即ち、赤色光のピーク波長よりも長波長側）となるように設定されている。以上の構成によれば、図４に示すように、緑色光のうち波長が赤色光のピーク波長に近い成分が、赤色系カラーフィルタ２１を透過してしまうのを抑制することができる。従って、可視光の中で波長が比較的近い２つの可視光を、一層確実に選択的に遮光できるようになる。
【００４８】
また、上記実施形態のように赤色光の分光分布１６ａと、緑色光の分光分布１６ｂが波長に関して一部重複していると、赤色光と緑色光を選択的に遮光することが一層困難となることから、可視光の中で波長が比較的近い２つの可視光を選択的に遮光する上記の技術が一層重宝されることになる。
【００４９】
また、模様シート１８は、スモークフィルタとしてのキートップ１２で覆われている。以上の構成によれば、２色LED１６が完全に消灯しているときに、赤色系カラーフィルタ２１及び青色系カラーフィルタ２２の存在が外部から視認し難くなる。
【００５０】
以上に本願発明の好適な実施形態を説明したが、上記実施形態は、例えば以下のように変更することができる。
【００５１】
上記実施形態では、ドミナント波長が異なる２つの可視光を選択的に出射可能な２色LED１６を採用している。しかし、２色LED１６に代えて、赤色光を出射する赤色LEDと緑色光を出射する緑色LEDを採用することができる。
【００５２】
また、上記実施形態では、図４及び図５に示すように、青色系カラーフィルタ２２の分光透過率２２ａの重心波長を、緑色光のピーク波長を挟んで赤色光のピーク波長と反対側（即ち、緑色光のピーク波長よりも短波長側）となるように設定している。しかし、これに代えて、青色系カラーフィルタ２２の透過波長域を、赤色光の分光波長域に対して重複しないように設定することとしてもよい。ただし、「透過波長域」とは、透過率が５％以上となる波長帯域と定義する。また、「分光波長域」とは、比エネルギーが５％以上となる波長帯域と定義する。
【００５３】
また、上記実施形態では、図４及び図５に示すように、赤色系カラーフィルタ２１の分光透過率２１ａの重心波長を、赤色光のピーク波長を挟んで緑色光のピーク波長と反対側（即ち、赤色光のピーク波長よりも長波長側）となるように設定している。しかし、これに代えて、赤色系カラーフィルタ２１の透過波長域を、緑色光の分光波長域に対して重複しないように設定することとしてもよい。
【符号の説明】
【００５４】
１  ユーザーインターフェース
２  パネル部
１１  通話ボタン
１２  キートップ
１６  ２色LED
１８  模様シート
１９  シートホルダ
２１  赤色系カラーフィルタ
２２  青色系カラーフィルタ
【図１】
2012137700.tif 000003
【図２】
2012137700.tif 000004
【図３】
2012137700.tif 000005
【図４】
2012137700.tif 000006
【図５】
2012137700.tif 000007
【図６】
2012137700.tif 000008
【図７】
2012137700.tif 000009
【図８】
2012137700.tif 000010